(57)【要約】      （修正有）【課題】全体の構成が直線的で製作加工が簡単で、かつＭＲＩ検査用に適した構成とし、さらに非磁性彩色系の塗布により、一見して何人もＭＲＩ検査用に適した点滴スタンドを提供する。【解決手段】前後に自在滑車２を備えた二本の平行な脚杆１の中央に設けた支杆３により相対向して歩行領域を有する脚杆体ａと、脚杆体ａの支杆３の中央に起立させた下支柱杆ｂと、脚杆体ａの両脚杆１の中央より下支柱杆ｂの上部を支持連結する左右の曲折支脚杆５とより成り、下支柱杆ｂには伸縮自在の上支柱杆７を設けて薬液袋を支持する点滴フックバー９を備えると共に、曲折支脚杆５の下支柱杆ｂの両側と連結する側は水平に形成し、下支柱杆ｂを挟んで両手が把持できるハンドル部を設ける。【選択図】図１
0003205921.tif 000002
【実用新案登録請求の範囲】
【請求項１】
前後に自在滑車を備えた二本の平行な脚杆の中央に設けた支杆により相対向して歩行領域を有する脚杆体と、
前記脚杆体の支杆の中央に起立させた下支柱杆と、
前記脚杆体の両脚杆の中央より前記下支柱杆の上部を支持連結する左右の曲折支脚杆とより成り、
前記下支柱杆には伸縮自在の上支柱杆を設けて薬液袋を支持する点滴フックバーを備えると共に、前記曲折支脚杆の下支柱杆の両側と連結する側は水平に形成し、下支柱杆を挟んで両手が把持できるハンドル部を設けて成ることを特徴とする点滴スタンド。
【請求項２】
脚杆体、上下支柱杆と、曲折支脚杆とより成る点滴スタンドの構成部材を非磁性材料で形成し、かつ必要箇所が磁性作用を受けないことを意味する緑色彩色として形成して成ることを特徴とする請求項１記載の点滴スタンド。
【考案の詳細な説明】
【技術分野】
【０００１】
この考案は、点滴液を収納した薬液袋を垂下して患者と一緒に移動できる点滴スタンドに関する。
【背景技術】
【０００２】
この種の点滴スタンドは、自在滑車を備えた下脚体の中央に垂直棒を起立させ、該垂直棒の先端に横杆を備えて、この横杆の係止凹曲部に薬液を収納した点滴袋を係止させ、患者の静脈と通ずる針とパイプを連通させて、落差の重力により常に必要な薬を供給して、薬効を効率よく働かせるものとして広く知られている（例えば、特許文献１参照）。
【０００３】
そして、多くのスタンドは導磁性のステンレスなどの金属製であるので、患者がＭＲＩ検査を行う場合は、点滴スタンドから点滴液袋を取り外して検査を受けなければならないという問題があった。
【先行技術文献】
【特許文献】
【０００４】
【特許文献１】特開２０１６−０１６２１５号公報
【考案の概要】
【考案が解決しようとする課題】
【０００５】
上記先行技術は、基本的に患者単独で、片手で柱杆を把持して点滴作業の状態で移動できるようになっているが、歩行作業の状態で、移動歩行不自由な患者によっては、片手での把持では歩行がうまく行えず、甚だ不自由という問題があった。
【０００６】
併せて、多くのスタンドは導磁性のステンレスなどの金属製であるので、患者がＭＲＩ検査を行う場合は、点滴スタンドから点滴液袋を取り外して検査を受けなければならないという問題があった。
【０００７】
本考案は叙上の点に着目して成されたもので、歩行に安全な両手把持による移行と、脚杆体の脚杆を挟んで、前後に相対向して歩行領域を設けてあるので、極めて安全な移動を可能とすると共に、ＭＲＩ検査に際しても交通信号の安全を意味する緑色彩色を施しているので、そのままＭＲＩ検査が受けられるという効果を有する。
【課題を解決するための手段】
【０００８】
この考案は下記の構成を備えることにより上記課題を解決できるものである。
【０００９】
（１）前後に自在滑車を備えた二本の平行な脚杆の中央に設けた支杆により相対向して歩行領域を有する脚杆体と、
前記脚杆体の支杆の中央に起立させた下支柱杆と、
前記脚杆体の両脚杆の中央より前記下支柱杆の上部を支持連結する左右の曲折支脚杆とより成り、
前記下支柱杆には伸縮自在の上支柱杆を設けて薬液袋を支持する点滴フックバーを備えると共に、前記曲折支脚杆の下支柱杆の両側と連結する側は水平に形成し、下支柱杆を挟んで両手が把持できるハンドル部を設けて成ることを特徴とする点滴スタンド。
【００１０】
（２）脚杆体、上下支柱杆と、曲折支脚杆とより成る点滴スタンドの構成部材を非磁性材料で形成し、かつ必要箇所が磁性作用を受けないことを意味する緑色彩色として形成して成ることを特徴とする前記（１）記載の点滴スタンド。
【考案の効果】
【００１１】
本考案は、全体の構成を直状体の脚杆体、上下支柱杆とし、患者が把持するハンドル部を備えた曲折支脚杆にのみ屈曲部分を有するもので、構造が簡単で、廉価量産に適すると共に、患者は常に両手でハンドル部を把持して脚杆体の支杆を中心として、相対向した歩行領域のいずれか一方を利用して、歩行補助具のように利用して移動させることができるので、安全性が確保できるという利点があり、さらに交通信号の安全を意味する緑色彩色を施して全体の構成を非磁性体材料で形成して、ＭＲＩ検査にそのまま入室できるので、患者にとって洵に便利が良いという効果を有する。
【図面の簡単な説明】
【００１２】
【図１】本考案の一実施例を示す点滴スタンドの正面図
【図２】図１の昇降自在の上支柱杆を最下位に降下させた状態の右側面図
【図３】平面図
【図４】図１の状態の斜視図
【図５】緑色彩色Ｘを表示した斜視図
【考案を実施するための形態】
【００１３】
以下本考案実施するための最良の形態を、実施例により詳しく説明する。
【実施例】
【００１４】
以下に、本考案の一実施例を図と共に説明する。
【００１５】
１は、前後に自在滑車２を備えた二本の平行な脚杆、３は、平行な脚杆１，１の中央に配設固定させた支杆で、前記脚杆１，１とで前後に歩行領域４を形成した脚杆体ａを示す。
【００１６】
ｂは、前記脚杆体ａの支杆３の中央に起立固着させた下支柱杆を示し、この下支柱杆ｂの、上部両側に上端を固着し、下端を左右の脚杆１，１に固着させた曲折支脚杆５，５を備え、かつ下支柱杆ｂと連結される上部は、水平でかつ患者等の両手が把持できるハンドル部６，６を備える。
【００１７】
７は、前記下支柱杆ｂに挿通させた上支柱杆で、下支柱杆ｂに設けたノブボルト８により上支柱杆７の高さを適当に調節できるようになっている。９は、上支柱杆７の先端に固着させた点滴フックバーで、左右に引掛曲折部１０，１０を設けてあり、各種点滴液袋を掛架できるようになっている。
【００１８】
上述の構成にあって、ＭＲＩ検査の際の磁気影響性を排除するため、上下支柱杆ｂ，７の金属部分はすべてアルミニウム製とし、それ以外はすべて合成樹脂製で構成させてある。
【００１９】
さらに、両脚杆１，１、支杆３、左右の曲折支脚杆５，５並びに下支柱杆ｂの表面には、緑色彩色Ｘを施して非磁性構造体であることを明示するもので、一種類の特定彩色を施すことによって、患者始め使用者が等しくＭＲＩ検査対応の点滴スタンドであることを認識して、常に患者ないしは使用者の安全確保できるようにするものである。
【００２０】
なお、この緑色彩色Ｘは、図示に限らずそれ以外にも着色することができる。
【００２１】
以上の構成において、脚杆体ａを構成する脚杆１，１、支杆３、及び下支柱杆ｂ、上支柱杆７並びに点滴フックバー９は、すべからく直状体で構成されているので、製作容易かつ簡単で、廉価量産に適用できると共に、全体の構成を非磁性材料で一種類の安全性を確保できる緑色彩色Ｘに統一して塗布彩色してあるので、ＭＲＩ検査での磁気影響力を無くして安全に使用できるなど極めて有効である。
【００２２】
そして、点滴作業中の患者は、常に両手を把持できるハンドル部６，６が上支柱杆７の両側に配置され、かつ歩行のための両脚が両脚杆１，１の間の歩行領域４内に臨まれるので、スタンドの移行が安全にかつ円滑に行えるという利点がある。
【符号の説明】
【００２３】
１    脚杆
２    自在滑車
３    支杆
４    歩行領域
５    曲折支脚杆
６    ハンドル部
７    上支柱杆
８    ノブボルト
９    点滴フックバー
１０  引掛曲折部
ａ    脚杆体
ｂ    下支柱杆
Ｘ    緑色彩色
【図１】
0003205921.tif 000003
【図２】
0003205921.tif 000004
【図３】
0003205921.tif 000005
【図４】
0003205921.tif 000006
【図５】
0003205921.tif 000007